(57)【要約】【課題】適正なタイミングでチャンネル構成を更新する。【解決手段】デジタル放送受信機のＲＡＭ１２は、受信可能な物理チャンネルを識別する番号情報である物理番号情報、及び、物理チャンネルに対応する仮想チャンネルの番号情報である仮想メジャー番号情報を、対応付けて予め格納するチャンネル記憶部１２１を備え、ＭＰＵ１１は、受信する１の物理チャンネルを設定するチャンネル設定部１１１と、受信部１５を介して１の物理チャンネルに対応する仮想メジャー番号情報を取得する仮想情報取得部１１２と、取得された仮想メジャー番号情報が、チャンネル記憶部１２１に格納された仮想メジャー番号情報と一致するか否かを判定する番号判定部１１３と、一致しないと判定された場合に、取得された仮想メジャー番号情報をチャンネル記憶部１２１に書き込む番号更新部１１４と、を備えている。【選択図】図２
2008288646.tif 000002
【特許請求の範囲】
【請求項１】
モニタと通信可能に接続され、デジタル方式のテレビジョン放送を受信して、受信した映像情報を外部から視認可能に前記モニタに出力するデジタル放送受信装置であって、
受信可能な物理チャンネルを識別する番号情報である物理番号情報、前記物理チャンネルに含まれるサブチャンネルを識別する番号情報であるサブ番号情報、前記物理チャンネルに対応する仮想チャンネル（Ｖｉｒｔｕａｌ  Ｃｈａｎｎｅｌ）の番号情報である仮想メジャー番号（ｍａｊｏｒ＿ｃｈａｎｎｅｌ＿ｎｕｍｂｅｒ）情報、及び、前記サブチャンネルに対応する仮想チャンネルの番号情報である仮想マイナー番号（ｍｉｎｏｒ＿ｃｈａｎｎｅｌ＿ｎｕｍｂｅｒ）情報を、それぞれ対応付けてチャンネルマップとして予め格納するチャンネル記憶手段と、
デジタル方式のテレビジョン放送を受信する受信手段と、
外部からの操作入力を受け付けて、受け付けられた操作入力に基づいて、前記受信手段を介して受信する１の物理チャンネルを設定するチャンネル設定手段と、
前記受信手段を介して、前記チャンネル設定手段によって設定された１の物理チャンネルに対応する仮想メジャー番号情報を取得する仮想情報取得手段と、
前記仮想情報取得手段によって取得された仮想メジャー番号情報が、前記チャンネル記憶手段に格納された仮想メジャー番号情報と一致するか否かを判定する番号判定手段と、
前記番号判定手段によって一致しないと判定された場合に、前記仮想情報取得手段によって取得された仮想メジャー番号情報を、前記チャンネル記憶手段に書き込み、前記チャンネルマップを更新する番号更新手段と、
を備えることを特徴とするデジタル放送受信装置。
【請求項２】
前記仮想情報取得手段は、前記受信手段を介して、ＶＣＴ（Ｖｉｒｔｕａｌ  Ｃｈａｎｎｅｌ  Ｔａｂｌｅ）を取得し、取得されたＶＣＴに含まれる情報から前記仮想メジャー番号情報を抽出することによって前記仮想メジャー番号情報を取得することを特徴とする請求項１に記載のデジタル放送受信装置。
【請求項３】
前記仮想情報取得手段は、前記チャンネル設定手段によって設定された１の物理チャンネルに含まれるサブチャンネルの個数を示すサブ個数情報を取得し、
前記番号判定手段は、前記仮想情報取得手段によって取得されたサブ個数情報の示すサブチャンネルの個数が、前記チャンネル記憶手段に格納されたザブチャンネルの個数と一致するか否かを判定し、
前記仮想情報取得手段は、前記番号判定手段によって一致しないと判定された場合に、前記１の物理チャンネルに含まれるザブチャンネルに対応する仮想マイナー番号情報を取得し、
前記番号更新手段は、前記仮想情報取得手段によって取得された仮想マイナー番号情報を、前記チャンネル記憶手段に書き込み、前記チャンネルマップを更新することを特徴とする請求項１又は請求項２に記載のデジタル放送受信装置。
【請求項４】
前記仮想情報取得手段は、前記チャンネル設定手段によって設定された１の物理チャンネルに含まれるザブチャンネルに対応する仮想マイナー番号情報を取得し、
前記番号判定手段は、前記仮想情報取得手段によって取得された仮想サブ番号情報が、前記チャンネル記憶手段に格納された仮想マイナー番号情報と一致するか否かを判定し、
前記番号更新手段は、前記番号判定手段によって一致しないと判定された場合に、前記仮想情報取得手段によって取得された仮想マイナー番号情報を、前記チャンネル記憶手段に書き込み、前記チャンネルマップを更新することを特徴とする請求項１〜請求項３のいずれかに記載のデジタル放送受信装置。
【請求項５】
前記チャンネル記憶手段は、前記サブチャンネルに対応する仮想チャンネルの名称情報である仮想名称情報を対応付けて予め格納し、
前記仮想情報取得手段は、前記チャンネル設定手段によって設定された１の物理チャンネルに含まれるザブチャンネルに対応する仮想名称情報を取得し、
前記番号判定手段は、前記仮想情報取得手段によって取得された仮想名称情報が、前記チャンネル記憶手段に格納された仮想名称番号情報と一致するか否かを判定し、
前記番号更新手段は、前記番号判定手段によって一致しないと判定された場合に、前記仮想情報取得手段によって取得された仮想名称情報を、前記チャンネル記憶手段に書き込み、前記チャンネルマップを更新することを特徴とする請求項１〜請求項４のいずれかに記載のデジタル放送受信装置。
【請求項６】
前記番号判定手段によって一致しないと判定された場合に、前記モニタに、前記チャンネル記憶手段に格納されたチャンネルマップ全体を更新する処理の実行を促す旨の情報を表示する更新処理指示手段を備えることを特徴とする請求項１〜請求項５のいずれかに記載のデジタル放送受信装置。
【発明の詳細な説明】
【技術分野】
【０００１】
本発明は、モニタと通信可能に接続され、デジタル方式のテレビジョン放送を受信して、受信した映像情報を外部から視認可能に前記モニタに出力するデジタル放送受信装置に関する。
【背景技術】
【０００２】
モニタと通信可能に接続され、デジタル方式のテレビジョン放送を受信して、受信した映像情報を外部から視認可能に前記モニタに出力するデジタル放送受信装置において、容易にチャンネルの選択を行うために、受信可能なチャンネルに関する物理チャンネル番号情報、ザブチャンネル番号情報等の種々の情報が格納されたチャンネルマップを生成する（又は、更新する）種々の方法、装置等が提案されている。
【０００３】
例えば、チャンネルマップにチャンネルを登録するときには物理チャンネル単位で登録し、削除するときにはサブチャンネル単位で削除する受信装置が開示されている（特許文献１参照）。この受信装置によれば、チャンネルマップへのチャンネルの登録に必要な手間が抑えられると共に、ユーザが自分の好みにあったチャンネルのみチャンネルマップに登録することができる。
【特許文献１】特開２００２−３４４８３２号公報
【発明の開示】
【発明が解決しようとする課題】
【０００４】
しかしながら、上記受信装置では、放送局によってチャンネル構成（例えば、１の物理チャンネルに含まれるサブチャンネルの個数等）が変化した場合には、ユーザが所望する番組を視聴することが困難となる場合がある。すなわち、チャンネルマップに登録されたチャンネル情報が、放送されているチャンネル情報と相違する場合には、ユーザが所望する番組を視聴するために、視聴を所望する番組が放送されているチャンネルを検索する必要があり、操作性が充分ではない場合がある。
【０００５】
本発明は、上記課題に鑑みてなされたものであって、適正なタイミングでチャンネル構成を更新することの可能なデジタル放送受信装置を提供することを目的としている。
【課題を解決するための手段】
【０００６】
上記目的を達成するために請求項１に記載のデジタル放送受信装置は、モニタと通信可能に接続され、デジタル方式のテレビジョン放送を受信して、受信した映像情報を外部から視認可能に前記モニタに出力するデジタル放送受信装置であって、受信可能な物理チャンネルを識別する番号情報である物理番号情報、前記物理チャンネルに含まれるサブチャンネルを識別する番号情報であるサブ番号情報、前記物理チャンネルに対応する仮想チャンネル（Ｖｉｒｔｕａｌ  Ｃｈａｎｎｅｌ）の番号情報である仮想メジャー番号（ｍａｊｏｒ＿ｃｈａｎｎｅｌ＿ｎｕｍｂｅｒ）情報、及び、前記サブチャンネルに対応する仮想チャンネルの番号情報である仮想マイナー番号（ｍｉｎｏｒ＿ｃｈａｎｎｅｌ＿ｎｕｍｂｅｒ）情報を、それぞれ対応付けてチャンネルマップとして予め格納するチャンネル記憶手段と、デジタル方式のテレビジョン放送を受信する受信手段と、外部からの操作入力を受け付けて、受け付けられた操作入力に基づいて、前記受信手段を介して受信する１の物理チャンネルを設定するチャンネル設定手段と、前記受信手段を介して、前記チャンネル設定手段によって設定された１の物理チャンネルに対応する仮想メジャー番号情報を取得する仮想情報取得手段と、前記仮想情報取得手段によって取得された仮想メジャー番号情報が、前記チャンネル記憶手段に格納された仮想メジャー番号情報と一致するか否かを判定する番号判定手段と、前記番号判定手段によって一致しないと判定された場合に、前記仮想情報取得手段によって取得された仮想メジャー番号情報を、前記チャンネル記憶手段に書き込み、前記チャンネルマップを更新する番号更新手段と、を備えることを特徴としている。
【０００７】
請求項２に記載のデジタル放送受信装置は、請求項１に記載のデジタル放送受信装置であって、前記仮想情報取得手段が、前記受信手段を介して、ＶＣＴ（Ｖｉｒｔｕａｌ  Ｃｈａｎｎｅｌ  Ｔａｂｌｅ）を取得し、取得されたＶＣＴに含まれる情報から前記仮想メジャー番号情報を抽出することによって前記仮想メジャー番号情報を取得することを特徴としている。
【０００８】
請求項３に記載のデジタル放送受信装置は、請求項１又は請求項２に記載のデジタル放送受信装置であって、前記仮想情報取得手段が、前記チャンネル設定手段によって設定された１の物理チャンネルに含まれるサブチャンネルの個数を示すサブ個数情報を取得し、前記番号判定手段が、前記仮想情報取得手段によって取得されたサブ個数情報の示すサブチャンネルの個数が、前記チャンネル記憶手段に格納されたザブチャンネルの個数と一致するか否かを判定し、前記仮想情報取得手段が、前記番号判定手段によって一致しないと判定された場合に、前記１の物理チャンネルに含まれるザブチャンネルに対応する仮想マイナー番号情報を取得し、前記番号更新手段が、前記仮想情報取得手段によって取得された仮想マイナー番号情報を、前記チャンネル記憶手段に書き込み、前記チャンネルマップを更新することを特徴としている。
【０００９】
請求項４に記載のデジタル放送受信装置は、請求項１〜請求項３のいずれかに記載のデジタル放送受信装置であって、前記仮想情報取得手段が、前記チャンネル設定手段によって設定された１の物理チャンネルに含まれるザブチャンネルに対応する仮想マイナー番号情報を取得し、前記番号判定手段が、前記仮想情報取得手段によって取得された仮想サブ番号情報が、前記チャンネル記憶手段に格納された仮想マイナー番号情報と一致するか否かを判定し、前記番号更新手段が、前記番号判定手段によって一致しないと判定された場合に、前記仮想情報取得手段によって取得された仮想マイナー番号情報を、前記チャンネル記憶手段に書き込み、前記チャンネルマップを更新することを特徴としている。
【００１０】
請求項５に記載のデジタル放送受信装置は、請求項１〜請求項４のいずれかに記載のデジタル放送受信装置であって、前記チャンネル記憶手段が、前記サブチャンネルに対応する仮想チャンネルの名称情報である仮想名称情報を対応付けて予め格納し、前記仮想情報取得手段は、前記チャンネル設定手段によって設定された１の物理チャンネルに含まれるザブチャンネルに対応する仮想名称情報を取得し、前記番号判定手段が、前記仮想情報取得手段によって取得された仮想名称情報が、前記チャンネル記憶手段に格納された仮想名称番号情報と一致するか否かを判定し、前記番号更新手段が、前記番号判定手段によって一致しないと判定された場合に、前記仮想情報取得手段によって取得された仮想名称情報を、前記チャンネル記憶手段に書き込み、前記チャンネルマップを更新することを特徴としている。
【００１１】
請求項６に記載のデジタル放送受信装置は、請求項１〜請求項５のいずれかに記載のデジタル放送受信装置であって、前記番号判定手段によって一致しないと判定された場合に、前記モニタに、前記チャンネル記憶手段に格納されたチャンネルマップ全体を更新する処理の実行を促す旨の情報を表示する更新処理指示手段を備えることを特徴としている。
【発明の効果】
【００１２】
請求項１に記載のデジタル放送受信装置によれば、チャンネル記憶手段に、受信可能な物理チャンネルを識別する番号情報である物理番号情報、前記物理チャンネルに含まれるサブチャンネルを識別する番号情報であるサブ番号情報、前記物理チャンネルに対応する仮想チャンネルの番号情報である仮想メジャー番号情報、及び、前記サブチャンネルに対応する仮想チャンネルの番号情報である仮想マイナー番号情報が、それぞれ対応付けてチャンネルマップとして予め格納されている。そして、外部からの操作入力が受け付けられて、受け付けられた操作入力に基づいて、受信手段を介して受信する１の物理チャンネルが設定され、１の物理チャンネルに対応する仮想メジャー番号情報が取得される。また、取得された仮想メジャー番号情報が、チャンネル記憶手段に格納された仮想メジャー番号情報と一致するか否かが判定され、一致しないと判定された場合に、取得された仮想メジャー番号情報が、チャンネル記憶手段に書き込まれ、チャンネルマップが更新されるため、適正なタイミングでチャンネル構成を更新することができる。
【００１３】
すなわち、取得された仮想メジャー番号情報が、チャンネル記憶手段に格納された仮想メジャー番号情報と一致しないと判定された場合に、取得された仮想メジャー番号情報が、チャンネル記憶手段に書き込まれ、チャンネルマップが更新されるため、ユーザがチャンネルマップに含まれる仮想メジャー番号情報を更新する処理を指示する必要がないので、適正なタイミングでチャンネル構成を更新することができるのである。
【００１４】
請求項２に記載のデジタル放送受信装置によれば、受信手段を介して、ＶＣＴ（Ｖｉｒｔｕａｌ  Ｃｈａｎｎｅｌ  Ｔａｂｌｅ）が取得され、取得されたＶＣＴに含まれる情報から仮想メジャー番号情報を抽出することによって仮想メジャー番号情報が取得されるため、適正なタイミングでチャンネル構成を容易に更新することができる。
【００１５】
すなわち、ＶＣＴが取得され、取得されたＶＣＴに含まれる情報から仮想メジャー番号情報を抽出することによって仮想メジャー番号情報が取得されるため、ＶＣＴには仮想メジャー番号情報が含まれているので、容易に仮想メジャー番号情報を取得することができるのである。
【００１６】
請求項３に記載のデジタル放送受信装置によれば、設定された１の物理チャンネルに含まれるサブチャンネルの個数を示すサブ個数情報が取得され、取得されたサブ個数情報の示すサブチャンネルの個数が、チャンネル記憶手段に格納されたザブチャンネルの個数と一致するか否かが判定される。そして、一致しないと判定された場合に、１の物理チャンネルに含まれるザブチャンネルに対応する仮想マイナー番号情報が取得され、取得された仮想マイナー番号情報が、チャンネル記憶手段に書き込まれ、チャンネルマップが更新されるため、更に適正なタイミングでチャンネル構成を更新することができる。
【００１７】
すなわち、取得されたサブ個数情報の示すサブチャンネルの個数が、チャンネル記憶手段に格納されたザブチャンネルの個数と一致しないと判定された場合に、１の物理チャンネルに含まれるザブチャンネルに対応する仮想マイナー番号情報が取得され、取得された仮想マイナー番号情報が、チャンネル記憶手段に書き込まれ、チャンネルマップが更新されるため、ユーザがチャンネルマップに含まれる仮想マイナー番号情報を更新する処理を指示する必要がないので、更に適正なタイミングでチャンネル構成を更新することができるのである。
【００１８】
請求項４に記載のデジタル放送受信装置によれば、設定された１の物理チャンネルに含まれるザブチャンネルに対応する仮想マイナー番号情報が取得され、取得された仮想サブ番号情報が、チャンネル記憶手段に格納された仮想マイナー番号情報と一致するか否かが判定される。そして、一致しないと判定された場合に、取得された仮想マイナー番号情報が、チャンネル記憶手段に書き込まれ、チャンネルマップが更新されるため、更に適正なタイミングでチャンネル構成を更新することができる。
【００１９】
すなわち、取得された仮想サブ番号情報が、チャンネル記憶手段に格納された仮想マイナー番号情報と一致しないと判定された場合に、取得された仮想マイナー番号情報が、チャンネル記憶手段に書き込まれ、チャンネルマップが更新されるため、ユーザがチャンネルマップに含まれる仮想マイナー番号情報を更新する処理を指示する必要がないので、更に適正なタイミングでチャンネル構成を更新することができるのである。
【００２０】
請求項５に記載のデジタル放送受信装置によれば、チャンネル記憶手段に、サブチャンネルに対応する仮想チャンネルの名称情報である仮想名称情報が対応付けて予め格納されている。また、設定された１の物理チャンネルに含まれるザブチャンネルに対応する仮想名称情報が取得され、取得された仮想名称情報が、チャンネル記憶手段に格納された仮想名称番号情報と一致するか否かが判定される。そして、一致しないと判定された場合に、取得された仮想名称情報が、チャンネル記憶手段に書き込まれ、チャンネルマップが更新されるため、更に適正なタイミングでチャンネル構成を更新することができる。
【００２１】
すなわち、取得された仮想名称情報が、チャンネル記憶手段に格納された仮想名称番号情報と一致しないと判定された場合に、取得された仮想名称情報が、チャンネル記憶手段に書き込まれ、チャンネルマップが更新されるため、ユーザがチャンネルマップに含まれる仮想名称情報を更新する処理を指示する必要がないので、更に適正なタイミングでチャンネル構成を更新することができるのである。
【００２２】
請求項６に記載のデジタル放送受信装置によれば、取得された情報がチャンネル記憶手段に格納された情報と一致しないと判定された場合に、モニタに、チャンネル記憶手段に格納されたチャンネルマップを更新する処理の実行を促す旨の情報が表示されるため、適正なタイミングでチャンネルマップ全体を更新することができる。
【００２３】
すなわち、取得された情報がチャンネル記憶手段に格納された情報と一致しないと判定された場合に、モニタに、チャンネル記憶手段に格納されたチャンネルマップ全体を更新する処理の実行を促す旨の情報が表示されるため、ユーザがチャンネルマップ全体を更新する処理を実行するタイミングを視認することができるので、適正なタイミングでチャンネルマップ全体を更新することができるのである。
【発明を実施するための最良の形態】
【００２４】
以下に本発明の実施形態を、図面を参照しながら説明する。図１は、本発明に係るデジタル放送受信機の構成の一例を示すブロック図である。デジタル放送受信機１（デジタル放送受信装置に相当する）は、出力装置２と通信可能に接続されると共に、リモートコントローラ（＝Ｒｅｍｏｔｅｃｏｎｔｒｏｌｌｅｒ：以下、「リモコン」という）３と赤外線通信を介して通信可能に接続されている。
【００２５】
デジタル放送受信機１は、リモコン３を介してユーザからの操作入力を受け付けて、受け付けた操作入力に基づいて、デジタル方式のテレビジョン放送を受信し、受信した映像情報をディスプレイ２１に表示すると共に、受信した音声情報をスピーカ２２に出力ものである。
【００２６】
出力装置２は、ディスプレイ２１及びスピーカ２２を備え、デジタル放送受信機１から入力された音声情報及び映像情報を出力するものである。ディスプレイ２１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、デジタル放送受信機１から入力された映像情報を外部から視認可能に表示するものである。スピーカ２２は、デジタル放送受信機１から入力された音声情報を出力するものである。
【００２７】
リモコン３（チャンネル設定手段の一部に相当する）は、ユーザからの操作入力を受け付けて、受け付けられた操作入力に対応する赤外線信号を生成して、デジタル放送受信機１に対して出力するものである。
【００２８】
また、デジタル放送受信機１は、ＭＰＵ１１、ＲＡＭ１２、ＲＯＭ１３、操作部１４、受信部１５、音声出力部１６、ＭＰＥＧ２デコード部１７、及び、画像出力部１８を備えている。
【００２９】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１を動作させる制御プログラム等を格納するものである。
【００３０】
操作部１４は、電源のＯＮ、ＯＦＦ操作、選局等の各種操作を受け付けるものである。また、操作部１４は、赤外線通信を介して、リモコン３からの操作信号を受け付けて、各種操作を受け付けるものである。受信部１５（受信手段に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００３１】
アンテナ部１５１は、テレビジョン放送波を受信するものである。チューナ部１５２は、アンテナ部１５１で受信されたテレビジョン放送波から、予め設定された（又は、リモコン３を介して受け付けられた）チャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００３２】
音声出力部１６は、受信部１５によって受信されたテレビジョン放送に対応する音声信号をスピーカ２２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号をスピーカ２２に対して出力するものである。
【００３３】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００３４】
画像出力部１８は、ＭＰＥＧ２デコード部１７によって復号化された映像信号をディスプレイ２１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ２１に対して出力するものである。
【００３５】
次に、デジタル放送受信機１が放送を受信する場合の動作について説明する。まず、送信されてきたデジタル放送波がアンテナ部１５１で受信される。操作部１４（又はリモコン３）を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３６】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ２２から音声が出力される。
【００３７】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ２１に映像が表示される。
【００３８】
図２は、本発明に係るデジタル放送受信機１における主要部の構成の一例を示すブロック図である。ＭＰＵ１１は、機能的に、チャンネル設定部１１１、仮想情報取得部１１２、番号判定部１１３、番号更新部１１４、及び、更新処理指示部１１５を備え、ＲＡＭ１２は、機能的に、チャンネル記憶部１２１を備えている。
【００３９】
ここでは、ＭＰＵ１１が、図１に示すＲＯＭ１３等に予め格納された制御プログラムを読み出して実行することにより、チャンネル設定部１１１、仮想情報取得部１１２、番号判定部１１３、番号更新部１１４、更新処理指示部１１５等の機能部として機能すると共に、ＲＡＭ１２を、チャンネル記憶部１２１等の機能部として機能させるものである。
【００４０】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００４１】
チャンネル記憶部１２１（チャンネル記憶手段に相当する）は、受信可能な物理チャンネルを識別する番号情報である物理番号情報、物理チャンネルに含まれるサブチャンネルを識別する番号情報であるサブ番号情報、物理チャンネルに対応する仮想チャンネル（Ｖｉｒｔｕａｌ  Ｃｈａｎｎｅｌ）の番号情報である仮想メジャー番号（ｍａｊｏｒ＿ｃｈａｎｎｅｌ＿ｎｕｍｂｅｒ）情報、サブチャンネルに対応する仮想チャンネルの番号情報である仮想マイナー番号（ｍｉｎｏｒ＿ｃｈａｎｎｅｌ＿ｎｕｍｂｅｒ）情報、及び、サブチャンネルに対応する仮想チャンネルの名称情報である仮想名称情報を、それぞれ対応付けてチャンネルマップとして予め格納するものである。
【００４２】
また、チャンネル記憶部１２１に格納された仮想メジャー番号情報、仮想マイナー番号情報、及び、仮想名称情報は、番号判定部１１３によって読み出され、番号更新部１１４によって、更新される（＝仮想情報取得部１１２によって取得された情報に書き換えられる）ものである。
【００４３】
更に、チャンネル記憶部１２１に格納されたチャンネルマップは、いわゆるオートスキャン（Ａｕｔｏ  Ｓｃａｎ）処理を実行することによって、全体が生成される（又は、全体が更新される）ものである。ここで、オートスキャン処理とは、受信可能な物理チャンネル毎に、対応する放送を受信するべく受信部１５を設定し、設定された物理チャンネルに対応するサブ番号情報、仮想メジャー番号情報、仮想マイナー番号情報、及び、仮想名称情報を取得して、チャンネル記憶部１２１にチャンネルマップとして格納する処理である。
【００４４】
図３は、チャンネル記憶部１２１に格納されたチャンネルマップの一例を示す図表である。チャンネルマップ４は、物理チャンネル番号４１、サブチャンネル番号４２、仮想チャンネル番号４３、及び、仮想名称４４が対応付けて格納されている。また、ここでは、仮想メジャー番号と、仮想マイナー番号とが、ハイフン（−）によって結合されて仮想チャンネル番号４３が構成されている。
【００４５】
例えば、物理チャンネル番号が「１０」の放送には、サブチャンネル番号が「１」〜「３」の３個のサブチャンネルが含まれ、サブチャンネル番号が「１」のサブチャンネルの仮想チャンネル番号は「２−１」（＝仮想メジャー番号が「２」で、仮想マイナー番号が「１」）に設定され、仮想名称は「ＡＡＡ」に設定されている。
【００４６】
再び、図２に戻って、ＭＰＵ１１の機能構成について説明する。チャンネル設定部１１１（チャンネル設定手段の一部に相当する）は、リモコン３を介してユーザからの操作入力を受け付けて、受け付けられた操作入力に基づいて、受信部１５を介して受信する１の物理チャンネルを設定するものである。
【００４７】
仮想情報取得部１１２（仮想情報取得手段に相当する）は、受信部１５を介して、チャンネル設定部１１１によって設定された１の物理チャンネルに対応する仮想メジャー番号情報、サブチャンネルの個数を示すサブ個数情報、仮想マイナー番号情報、及び、仮想名称情報を取得するものである。
【００４８】
具体的には、仮想情報取得部１１２は、受信部１５を介して、ＶＣＴ（Ｖｉｒｔｕａｌ  Ｃｈａｎｎｅｌ  Ｔａｂｌｅ）を取得し、取得されたＶＣＴに含まれる情報から仮想メジャー番号情報、サブ個数情報、仮想マイナー番号情報、及び、仮想名称情報を抽出することによって仮想メジャー番号情報、サブ個数情報、仮想マイナー番号情報、及び、仮想名称情報を取得するものである。
【００４９】
ここで、ＶＣＴには、仮想メジャー番号情報に対応する「ｍａｊｏｒ＿ｃｈａｎｎｅｌ＿ｎｕｍｂｅｒ」、サブ個数情報に対応する「ｎｕｍ＿ｃｈａｎｎｅｌｓ＿ｉｎ＿ｓｅｃｔｉｏｎ」、仮想マイナー番号情報に対応する「ｍｉｎｏｒ＿ｃｈａｎｎｅｌ＿ｎｕｍｂｅｒ」、仮想名称情報に対応する「ｓｈｏｒｔ＿ｎａｍｅ」が含まれている（ＡＴＳＣ  Ｓｔａｎｄａｒｄ：Ｐｒｏｇｒａｍ  ａｎｄ  Ｓｙｓｔｅｍ  Ｉｎｆｏｒｍａｔｉｏｎ  Ｐｒｏｔｏｃｏｌ  ｆｏｒ  Ｔｅｒｒｅｓｔｒｉａｌ  Ｂｒｏａｄｃａｓｔ  ａｎｄ  Ｃａｂｌｅ  （Ｒｅｖｉｓｉｏｎ  Ｃ）Ａ／６５ｃ  ２  Ｊａｎｕａｒｙ  ２００６  参照）。
【００５０】
また、番号判定部１１３によって、仮想情報取得部１１２により取得されたサブ個数情報が、チャンネル記憶部１２１に格納されたザブチャンネルの個数と一致しないと判定された場合に、仮想情報取得部１１２は、受信部１５を介して、チャンネル設定部１１１によって設定された１の物理チャンネルに含まれるザブチャンネルに対応する仮想マイナー番号情報を取得するものである。
【００５１】
番号判定部１１３（番号判定手段に相当する）は、仮想情報取得部１１２によって取得された仮想メジャー番号情報、仮想マイナー番号情報、及び、仮想名称情報が、それぞれ、チャンネル記憶部１２１に格納された仮想メジャー番号情報、仮想マイナー番号情報、及び、仮想名称情報と一致するか否かを判定するものである。また、番号判定部１１３は、仮想情報取得部１１２によって取得されたサブ個数情報が、チャンネル記憶部１２１に格納されたザブチャンネルの個数と一致するか否かを判定するものである。
【００５２】
番号更新部１１４（番号更新手段に相当する）は、番号判定部１１３によって仮想メジャー番号情報が、チャンネル記憶部１２１に格納された仮想メジャー番号情報と一致しないと判定された場合に、仮想情報取得部１１２によって取得された仮想メジャー番号情報を、チャンネル記憶部１２１に書き込み、チャンネルマップを更新するものである。
【００５３】
また、番号更新部１１４は、番号判定部１１３によってサブ個数情報がチャンネル記憶部１２１に格納されたザブチャンネルの個数と一致しないと判定された場合に、仮想情報取得部１１２によって取得された仮想マイナー番号情報を、チャンネル記憶部１２１に書き込み、チャンネルマップを更新するものである。
【００５４】
更に、番号更新部１１４は、番号判定部１１３によって仮想マイナー番号情報が、チャンネル記憶部１２１に格納された仮想マイナー番号情報と一致しないと判定された場合に、仮想情報取得部１１２によって取得された仮想マイナー番号情報を、チャンネル記憶部１２１に書き込み、チャンネルマップを更新するものである。
【００５５】
加えて、番号更新部１１４は、番号判定部１１３によって仮想名称情報が、チャンネル記憶部１２１に格納された仮想名称情報と一致しないと判定された場合に、仮想情報取得部１１２によって取得された仮想名称情報を、チャンネル記憶部１２１に書き込み、チャンネルマップを更新するものである。
【００５６】
更新処理指示部１１５（更新処理指示手段に相当する）は、番号判定部１１３によって、仮想情報取得部１１２により取得された仮想メジャー番号情報、仮想マイナー番号情報、及び、仮想名称情報の少なくとも１の情報が、それぞれ、チャンネル記憶部１２１に格納された仮想メジャー番号情報、仮想マイナー番号情報、及び、仮想名称情報と一致しないと判定された場合に、ディスプレイ２１に、チャンネル記憶部１２１に格納されたチャンネルマップ全体を更新する処理（例えば、いわゆるオートスキャン処理）の実行を促す旨の情報を表示するものである。
【００５７】
また、更新処理指示部１１５は、番号判定部１１３によって、番号判定部１１３によってサブ個数情報がチャンネル記憶部１２１に格納されたザブチャンネルの個数と一致しないと判定された場合に、ディスプレイ２１に、チャンネル記憶部１２１に格納されたチャンネルマップ全体を更新する処理（例えば、いわゆるオートスキャン処理）の実行を促す旨の情報を表示するものである。
【００５８】
図４は、デジタル放送受信機１（主にＭＰＵ１１）の動作の一例を示すフローチャートである。なお、ここでは、便宜上、予めチャンネル記憶部１２１に物理番号情報、サブ番号情報、仮想メジャー番号情報、仮想マイナー番号情報、及び、仮想名称情報がそれぞれ対応付けてチャンネルマップとして格納されている場合について説明する。まず、チャンネル設定部１１１によって、チャンネルが設定されたか否かの判定が行われる（Ｓ１０１）。チャンネルが設定されていないと判定された場合（Ｓ１０１でＮＯ）には、処理が待機状態とされる。
【００５９】
チャンネルが設定されていると判定された場合（Ｓ１０１でＹＥＳ）には、仮想情報取得部１１２によって、受信部１５を介して、ＶＣＴが取得される（Ｓ１０３）。そして、番号判定部１１３によって、ステップＳ１０１において設定されたチャンネルに対応する仮想メジャー番号情報、仮想マイナー番号情報、及び、仮想名称情報（これらを、総称して、「チャンネル情報」という）がチャンネル記憶部１２１から読み出される（Ｓ１０５）。
【００６０】
次いで、番号判定部１１３によって、ステップＳ１０３において取得されたＶＣＴから抽出された仮想メジャー番号情報が、ステップＳ１０５において読み出された仮想メジャー番号情報と一致するか否かの判定が行われる（Ｓ１０７）。一致しないと判定された場合（Ｓ１０７でＮＯ）には、処理がステップＳ１１５に進められる。一致すると判定された場合（Ｓ１０７でＹＥＳ）には、番号判定部１１３によって、ステップＳ１０３において取得されたＶＣＴから抽出されたサブ個数情報が、ステップＳ１０５において読み出されたザブチャンネルの個数と一致するか否かの判定が行われる（Ｓ１０９）。
【００６１】
一致しないと判定された場合（Ｓ１０９でＮＯ）には、処理がステップＳ１１５に進められる。一致すると判定された場合（Ｓ１０９でＹＥＳ）には、番号判定部１１３によって、ステップＳ１０３において取得されたＶＣＴから抽出された仮想マイナー番号情報が、ステップＳ１０５において読み出された仮想マイナー番号情報と一致するか否かの判定が行われる（Ｓ１１１）。一致しないと判定された場合（Ｓ１１１でＮＯ）には、処理がステップＳ１１５に進められる。一致すると判定された場合（Ｓ１１１でＹＥＳ）には、番号判定部１１３によって、ステップＳ１０３において取得されたＶＣＴから抽出された仮想名称情報が、ステップＳ１０５において読み出された仮想名称情報と一致するか否かの判定が行われる（Ｓ１１３）。一致しないと判定された場合（Ｓ１１３でＮＯ）には、処理がステップＳ１１５に進められる。一致すると判定された場合（Ｓ１１３でＹＥＳ）には、処理がリターンされる。
【００６２】
ステップＳ１０７でＮＯの場合、ステップＳ１０９でＮＯの場合、ステップＳ１１１でＮＯの場合、又は、ステップＳ１１３でＮＯの場合には、番号更新部１１４によって、ステップＳ１０１において設定されたチャンネルのチャンネル情報（＝仮想メジャー番号情報、仮想マイナー番号情報、及び、仮想名称情報）が更新される（Ｓ１１５）。そして、更新処理指示部１１５によって、ディスプレイ２１に、チャンネル記憶部１２１に格納されたチャンネルマップ全体を更新する処理の実行を促す旨の情報が表示され（Ｓ１１７）、処理がリターンされる。
【００６３】
図５は、図４に示すフローチャートのステップＳ１１７においてディスプレイ２１に表示される更新指示画面の一例を示す画面図である。更新指示画面５００には、画面全体に映像表示部５０１が表示され、画面右下部に、ガイダンス表示部５０２が表示されている。映像表示部５０１は、受信部１５を介して受信された映像を表示するものである。ガイダンス表示部５０２は、チャンネル記憶部１２１に格納されたチャンネルマップ全体を更新する処理の実行を促す旨の情報を表示するものであって、ここでは、「チャンネル構成が変化しています。オートスキャンを実行してください。」とのガイダンス情報が表示されている。このガイダンス表示部５０２に表示されたガイダンス情報を視認することによって、ユーザは、所望するタイミング（例えば、テレビジョン放送を視聴しない深夜の時間帯）でオートスキャンを実行し、チャンネル記憶部１２１に格納されたチャンネルマップ全体を更新することができる。
【００６４】
このようにして、チャンネル記憶部１２１に、受信可能な物理チャンネルを識別する番号情報である物理番号情報、物理チャンネルに含まれるサブチャンネルを識別する番号情報であるサブ番号情報、物理チャンネルに対応する仮想チャンネルの番号情報である仮想メジャー番号情報、及び、サブチャンネルに対応する仮想チャンネルの番号情報である仮想マイナー番号情報が、それぞれ対応付けてチャンネルマップとして予め格納されている。そして、リモコン３を介してユーザからの操作入力が受け付けられて、受け付けられた操作入力に基づいて、受信部１５を介して、１の物理チャンネルの放送が受信され、１の物理チャンネルに対応する仮想メジャー番号情報が取得される。また、取得された仮想メジャー番号情報が、チャンネル記憶部１２１に格納された仮想メジャー番号情報と一致するか否かが判定され、一致しないと判定された場合に、取得された仮想メジャー番号情報が、チャンネル記憶部１２１に書き込まれ、チャンネルマップが更新されるため、適正なタイミングでチャンネル構成を更新することができる。
【００６５】
すなわち、取得された仮想メジャー番号情報が、チャンネル記憶部１２１に格納された仮想メジャー番号情報と一致しないと判定された場合に、取得された仮想メジャー番号情報が、チャンネル記憶部１２１に書き込まれ、チャンネルマップが更新されるため、ユーザがチャンネルマップに含まれる仮想メジャー番号情報を更新する処理を指示する必要がないので、適正なタイミングでチャンネル構成を更新することができるのである。
【００６６】
また、受信部１５を介して、ＶＣＴが取得され、取得されたＶＣＴに含まれる情報から仮想メジャー番号情報を抽出することによって仮想メジャー番号情報が取得されるため、適正なタイミングでチャンネル構成を容易に更新することができる。
【００６７】
すなわち、ＶＣＴが取得され、取得されたＶＣＴに含まれる情報から仮想メジャー番号情報を抽出することによって仮想メジャー番号情報が取得されるため、ＶＣＴには仮想メジャー番号情報が含まれているので、容易に仮想メジャー番号情報を取得することができるのである。
【００６８】
更に、設定された１の物理チャンネルに含まれるサブチャンネルの個数を示すサブ個数情報が取得され、取得されたサブ個数情報の示すサブチャンネルの個数が、チャンネル記憶部１２１に格納されたザブチャンネルの個数と一致するか否かが判定される。そして、一致しないと判定された場合に、１の物理チャンネルに含まれるザブチャンネルに対応する仮想マイナー番号情報が取得され、取得された仮想マイナー番号情報が、チャンネル記憶部１２１に書き込まれ、チャンネルマップが更新されるため、更に適正なタイミングでチャンネル構成を更新することができる。
【００６９】
すなわち、取得されたサブ個数情報の示すサブチャンネルの個数が、チャンネル記憶部１２１に格納されたザブチャンネルの個数と一致しないと判定された場合に、１の物理チャンネルに含まれるザブチャンネルに対応する仮想マイナー番号情報が取得され、取得された仮想マイナー番号情報が、チャンネル記憶部１２１に書き込まれ、チャンネルマップが更新されるため、ユーザがチャンネルマップに含まれる仮想マイナー番号情報を更新する処理を指示する必要がないので、更に適正なタイミングでチャンネル構成を更新することができるのである。
【００７０】
加えて、設定された１の物理チャンネルに含まれるザブチャンネルに対応する仮想マイナー番号情報が取得され、取得された仮想サブ番号情報が、チャンネル記憶部１２１に格納された仮想マイナー番号情報と一致するか否かが判定される。そして、一致しないと判定された場合に、取得された仮想マイナー番号情報が、チャンネル記憶部１２１に書き込まれ、チャンネルマップが更新されるため、更に適正なタイミングでチャンネル構成を更新することができる。
【００７１】
すなわち、取得された仮想サブ番号情報が、チャンネル記憶部１２１に格納された仮想マイナー番号情報と一致しないと判定された場合に、取得された仮想マイナー番号情報が、チャンネル記憶部１２１に書き込まれ、チャンネルマップが更新されるため、ユーザがチャンネルマップに含まれる仮想マイナー番号情報を更新する処理を指示する必要がないので、更に適正なタイミングでチャンネル構成を更新することができるのである。
【００７２】
また、チャンネル記憶部１２１に、サブチャンネルに対応する仮想チャンネルの名称情報である仮想名称情報が対応付けて予め格納されている。また、設定された１の物理チャンネルに含まれるザブチャンネルに対応する仮想名称情報が取得され、取得された仮想名称情報が、チャンネル記憶部１２１に格納された仮想名称番号情報と一致するか否かが判定される。そして、一致しないと判定された場合に、取得された仮想名称情報が、チャンネル記憶部１２１に書き込まれ、チャンネルマップが更新されるため、更に適正なタイミングでチャンネル構成を更新することができる。
【００７３】
すなわち、取得された仮想名称情報が、チャンネル記憶部１２１に格納された仮想名称番号情報と一致しないと判定された場合に、取得された仮想名称情報が、チャンネル記憶部１２１に書き込まれ、チャンネルマップが更新されるため、ユーザがチャンネルマップに含まれる仮想名称情報を更新する処理を指示する必要がないので、更に適正なタイミングでチャンネル構成を更新することができるのである。
【００７４】
更に、取得された情報がチャンネル記憶部１２１に格納された情報と一致しないと判定された場合に、ディスプレイ２１に、チャンネル記憶部１２１に格納されたチャンネルマップを更新する処理の実行を促す旨の情報が表示される（図５参照）ため、適正なタイミングでチャンネルマップ全体を更新することができる。
【００７５】
すなわち、取得された情報がチャンネル記憶部１２１に格納された情報と一致しないと判定された場合に、ディスプレイ２１に、チャンネル記憶部１２１に格納されたチャンネルマップ全体を更新する処理の実行を促す旨の情報が表示されるため、ユーザがチャンネルマップ全体を更新する処理を実行するタイミングを視認することができるので、適正なタイミングでチャンネルマップ全体を更新することができるのである。
【００７６】
なお、本発明は、以下の形態にも適用可能である。
（Ａ）本実施形態では、デジタル放送受信装置が、デジタル方式のテレビジョン放送を受信するデジタル放送受信機１である場合について説明したが、デジタル放送受信装置が、デジタル方式のテレビジョン放送及びアナログ方式のテレビジョン放送を受信する形態でもよい。
【００７７】
（Ｂ）本実施形態では、ＭＰＵ１１が、機能的に、チャンネル設定部１１１、仮想情報取得部１１２、番号判定部１１３、番号更新部１１４、更新処理指示部１１５等の機能部を備える場合について説明したが、仮想情報取得部１１２、番号判定部１１３、番号更新部１１４、及び、更新処理指示部１１５の内、少なくとも１の機能部が回路等のハードウェアによって実現されている形態でもよい。
【００７８】
（Ｃ）本実施形態では、番号判定部１１３が、仮想情報取得部１１２によって取得された仮想メジャー番号情報、仮想マイナー番号情報、及び、仮想名称情報が、それぞれ、チャンネル記憶部１２１に格納された仮想メジャー番号情報、仮想マイナー番号情報、及び、仮想名称情報と一致するか否かを判定すると共に、仮想情報取得部１１２によって取得されたサブ個数情報が、チャンネル記憶部１２１に格納されたザブチャンネルの個数と一致するか否かを判定する場合について説明したが、仮想情報取得部１１２によって取得された仮想メジャー番号情報、仮想マイナー番号情報、サブ個数情報、及び、仮想名称情報の少なくとも１の情報についてチャンネル記憶部１２１に格納された情報と一致するか否かを判定する形態でもよい。
【００７９】
例えば、番号判定部１１３が、仮想情報取得部１１２によって取得された仮想メジャー番号情報が、チャンネル記憶部１２１に格納された仮想メジャー番号情報と一致するか否かを判定する形態でもよい。また、例えば、番号判定部１１３が、仮想情報取得部１１２によって取得された仮想メジャー番号情報及び仮想マイナー番号情報が、チャンネル記憶部１２１に格納された仮想メジャー番号情報及び仮想マイナー番号情報とそれぞれ一致するか否かを判定する形態でもよい。
【００８０】
（Ｄ）本実施形態では、更新処理指示部１１５が、番号判定部１１３によって一致しないと判定された場合に、ディスプレイ２１に、チャンネル記憶部１２１に格納されたチャンネルマップ全体を更新する処理の実行を促す旨の情報を表示する場合について説明したが、更新処理指示部１１５が、番号判定部１１３によって一致しないと判定された場合に、予め設定されたタイミング（例えば、テレビジョン放送を視聴しない深夜の時間帯）で、チャンネル記憶部１２１に格納されたチャンネルマップ全体を更新する処理を実行する形態でもよい。
【図面の簡単な説明】
【００８１】
【図１】は、本発明に係るデジタル放送受信機の構成の一例を示すブロック図である。
【図２】は、本発明に係るデジタル放送受信機における主要部の構成の一例を示すブロック図である。
【図３】は、チャンネル記憶部に格納されたチャンネルマップの一例を示す図表である。
【図４】は、デジタル放送受信機（主にＭＰＵ）の動作の一例を示すフローチャートである。
【図５】は、図４に示すフローチャートのステップＳ１１７においてディスプレイに表示される更新指示画面の一例を示す画面図である。
【符号の説明】
【００８２】
１    デジタル放送受信機（デジタル放送受信装置）
１１    ＭＰＵ
１１１    チャンネル設定部（チャンネル設定手段の一部）
１１２    仮想情報取得部（仮想情報取得手段）
１１３    番号判定部（番号判定手段）
１１４    番号更新部（番号更新手段）
１１５    更新処理指示部（更新処理指示手段）
１２    ＲＡＭ
１２１    チャンネル記憶部（チャンネル記憶手段）
１５    受信部（受信手段）
２    出力装置
２１    ディスプレイ（モニタ）
３    リモコン（チャンネル設定手段の一部）
【図１】
2008288646.tif 000003
【図２】
2008288646.tif 000004
【図３】
2008288646.tif 000005
【図４】
2008288646.tif 000006
【図５】
2008288646.tif 000007